【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
骨定着アセンブリであって、
長手方向に沿って延在する長手方向軸にほぼ沿って細長い釘本体を有する髄内釘であって、前記釘本体は、第１骨セグメントに取り付けられるように位置づけられた第１部、及び前記長手方向に沿って前記第１部から離間して、前記第１骨セグメントから骨の隙間によって分離された第２骨セグメントに取り付けられるように位置づけられた第２部を画定し、前記釘本体は、対向する第１及び第２の内面を含み、前記対向する第１及び第２の内面は、前記釘本体の前記第１部内に延在する圧縮スロットを少なくとも部分的に画定するように、互いに協力的に動作し、前記圧縮スロットは、複数のポケット、及び、前記複数のポケットのうちの隣接したポケット間のそれぞれの交差部を画定する、髄内釘を含むものであり、
前記圧縮スロットは前記交差部の１つにおいて前記長手方向に対してほぼ垂直な第２方向に沿って第１幅を画定し、前記圧縮スロットは、前記第１幅に対してほぼ平行な方向に沿って前記ポケットの１つにおいて第２幅を画定し、前記第２幅は前記第１幅より大きく、
前記第１及び第２の内面の少なくとも一方又は両方は、圧縮部材が前記複数のポケットの１つから、前記複数のポケットの別の１つに向かって前記交差部の前記１つの中へと、前記圧縮スロットに沿って移動するのに応じて、前記第１及び第２の内面の他方から離れるように移動可能である、骨定着アセンブリ。
【請求項２】
前記複数のポケットが、少なくとも一対の長手方向に離間した端ポケット、及び前記端ポケット間に配置された少なくとも一対の中間ポケットを更に含む、請求項１に記載の骨定着アセンブリ。
【請求項３】
前記少なくとも１つの内面が、前記ポケットのそれぞれから一方向に沿って、前記交差部のうちの対応する交差部まで傾斜している、請求項１に記載の骨定着アセンブリ。
【請求項４】
前記対向する内面それぞれが前記釘本体とモノリシックである、請求項１に記載の骨定着アセンブリ。
【請求項５】
前記釘本体が、前記第１部及び第２部のうちの少なくとも１つに取り付け可能なインサートを更に備え、前記インサートが前記圧縮スロットを画定する、請求項１に記載の骨定着アセンブリ。
【請求項６】
前記第１及び第２の内面の少なくとも１つが、前記複数のポケットを画定するためのほぼ弧形の領域を含む、請求項１に記載の骨定着アセンブリ。
【請求項７】
シャフトを有する圧縮部材を更に備え、前記シャフトは、前記圧縮部材が前記圧縮スロットに挿入されたときに前記交差部の少なくとも１つを通って移動するように整列される前記圧縮部材の一部において前記第２方向に沿って最大断面寸法を定め、前記最大断面寸法は、前記第１幅より大きい、請求項１に記載の骨定着アセンブリ。
【請求項８】
前記圧縮部材が前記ポケットの１つから前記交差部を通過し、前記ポケットの別の１つへと移動することができるように、前記圧縮部材が圧縮可能である、請求項７に記載の骨定着アセンブリ。
【請求項９】
前記圧縮スロットから延出し、前記釘本体で終端する、少なくとも１つのリリーフスロットを更に備え、前記少なくとも１つのリリーフスロットが、ヒンジを画定し、前記ヒンジが、前記第１及び第２の内面の前記少なくとも一方又は両方を、前記第１及び第２の内面の他方から離れるように移動可能にする、請求項１に記載の骨定着アセンブリ。
【請求項１０】
前記交差部が、前記長手方向に対してほぼ垂直な方向に沿って延在する縁を画定する、請求項１に記載の骨定着アセンブリ。
【請求項１１】
前記交差部が、前記長手方向に対してほぼ垂直な方向に沿って細長い表面を画定し、前記表面が前記長手方向に沿って延在する、請求項１に記載の骨定着アセンブリ。
【請求項１２】
骨定着システムであって、
（ｉ）骨定着アセンブリであって、
長手方向軸にほぼ沿って延在する釘本体を有する髄内釘であって、前記釘本体が、第１部と、前記第１部からほぼ長手方向に離間された第２部と、を画定し、前記釘本体が、前記釘本体の前記第１部内に延在する圧縮スロットを画定し、前記圧縮スロットが少なくとも一対の長手方向に離間したポケットと、前記ポケット間の交差部と、を画定する、髄内釘と、
前記ポケットのうちの１つから前記交差部をわたって前記ポケットのうちの別の１つへと移動するように構成されて、断面寸法を画定する、圧縮部材と、を含み、
前記交差部が、前記長手方向軸に対してほぼ垂直な方向に沿った幅を有し、前記幅は、前記圧縮部材の一部が前記圧縮スロットによって受け入れられたときに前記長手方向軸に対してほぼ垂直な前記方向に沿った前記圧縮部材の少なくとも前記一部の断面寸法より小さく、前記ポケットが、前記交差部の前記幅より大きい、前記長手方向軸に対してほぼ垂直な幅をそれぞれ有する、骨定着アセンブリと、
（ｉｉ）前記ポケットの１つから前記交差部を通って前記ポケットの別の１つへと前記長手方向軸に沿って前記圧縮部材の前記一部を付勢する、前記圧縮部材に力を付加するように構成された圧縮アクチュエータを含む植え込みアセンブリと、を備える、骨定着システム。
【請求項１３】
前記植え込みアセンブリが、支持枠及び、前記支持枠に、また前記髄内釘に連結されるように構成された支持部材を更に備える、請求項１２に記載の骨定着システム。
【請求項１４】
前記圧縮アクチュエータが前記支持部材に可動に接続される、請求項１２に記載の骨定着システム。
【請求項１５】
前記支持部材を管が貫通し、前記圧縮アクチュエータが前記支持部材のその管を通じて延在する、請求項１４に記載の骨定着システム。
【請求項１６】
前記支持部材に対する前記圧縮アクチュエータの回転が、前記支持部材に対する前記圧縮アクチュエータの並進を引き起こす、請求項１５に記載の骨定着システム。
【請求項１７】
前記圧縮アクチュエータが前記支持部材にねじ方式で接続される、請求項１６に記載の骨定着システム。
【請求項１８】
前記釘本体が、ほぼ長手方向に細長い一対の対向する内面を画定し、前記内面の少なくとも１つは前記一対のポケットを画定する、請求項１２に記載の骨定着システム。
【請求項１９】
前記圧縮部材が前記ポケット間を前記交差部をわたって並進することができるように、前記圧縮部材及び前記内面の前記少なくとも１つのうちの少なくとも１つが圧縮可能である、請求項１８に記載の骨定着システム。
【請求項２０】
骨定着アセンブリであって、
長手方向にほぼ沿って細長い釘本体を有する髄内釘において、前記釘本体は、第１骨セグメントに取り付けられるように位置づけられた第１部と、前記長手方向に沿って前記第１部から離間して、前記第１骨セグメントから骨の隙間によって分離された第２骨セグメントに取り付けられるように位置づけられた第２部と、を画定し、前記釘本体は、前記釘本体の前記第１部内に延在する圧縮スロットを画定し、前記圧縮スロットは、第１及び第２の対向する内面によって画定され、前記第１及び第２の対向する面のそれぞれは、長手方向に沿って離間されている少なくとも第１及び第２のポケットと、前記長手方向に沿って前記第１のポケットと第２のポケットとの間に配置された交差部と、を画定し、
前記圧縮スロットは、前記第１の内面の前記交差部と前記第２の内面の前記交差部との間で前記長手方向に対してほぼ垂直な第１幅を画定し、前記圧縮スロットは、前記第１幅に対してほぼ平行な方向に沿って前記ポケットの１つで前記第１及び第２の内面によって画定される第２幅を画定し、前記第２幅は前記第１幅より大きい、髄内釘と、
前記圧縮スロットから前記釘本体内に延びる、少なくとも１つのリリーフスロットであって、前記第１及び第２の内面の少なくとも一方又は両方が、前記リリーフスロットの周りで前記第１及び第２の内面の他方から離れるように移動する、少なくとも１つのリリーフスロットと、を備える、骨定着アセンブリ。
【請求項２１】
前記少なくとも１つのリリーフスロットが第１リリーフスロットであり、
前記圧縮スロットから延出し、前記釘本体で終端する、第２リリーフスロットを更に備え、前記第１及び第２リリーフスロットが、前記圧縮スロットから、互いに反対の方向に延びる、請求項２０に記載の骨定着アセンブリ。
【請求項２２】
前記第１及び第２のポケット、並びに前記第１のポケットと第２のポケットとの間に配置された少なくとも１つの中間ポケットを含む、複数のポケットを更に備える、請求項２０に記載の骨定着アセンブリ。
【請求項２３】
前記リリーフスロットが、前記長手方向に沿って細長い、請求項２０に記載の骨定着アセンブリ。
【請求項２４】
前記リリーフスロットが、前記釘本体で終端する、請求項２０に記載の骨定着アセンブリ。
【請求項２５】
前記少なくとも１つのリリーフスロットが、ヒンジを画定し、前記ヒンジが、前記第１及び第２の内面の前記少なくとも一方又は両方を、前記第１及び第２の内面の他方から離れるように移動可能にする、請求項２０に記載の骨定着アセンブリ。
【請求項２６】
骨定着アセンブリであって、
植え込みアセンブリを含み、前記植え込みアセンブリが、
支持枠と、
前記支持枠により支持されるように構成された近位端、及び、前記近位端からほぼ遠位方向に離間しており、前記支持枠に対する前記遠位方向への動きに関して髄内釘を固定するために前記髄内釘に取り付けられるように構成された遠位端を画定する細長いシャフトを有する、支持部材であって、前記細長いシャフトが、前記近位端から前記遠位端まで延在する管を画定する、支持部材と、
近位アクチュエータ端、及び前記近位アクチュエータ端からほぼ前記遠位方向に離間した遠位アクチュエータ端を画定する細長いアクチュエータシャフトを有する圧縮アクチュエータであって、前記細長いアクチュエータシャフトが、前記支持部材の前記管内に受け入れられるようなサイズであり、前記圧縮部材の一部が前記支持部材から前記遠位方向に延出するように、前記圧縮部材が前記支持部材の前記管内部を前記遠位方向に移動可能である、圧縮アクチュエータと、
を含む、骨定着アセンブリ。
【請求項２７】
前記圧縮アクチュエータが、前記支持部材の対応するねじ切り部と結合するように構成されたねじ切り部を含み、
前記圧縮アクチュエータの前記ねじ切り部が前記支持部材の前記対応するねじ切り部を捉える際に前記圧縮アクチュエータが前記支持部材に対して回転すると、前記圧縮部材が前記遠位方向に移動して、前記一部が前記支持部材から前記遠位方向に延出する、請求項２６に記載の骨定着アセンブリ。
【請求項２８】
骨定着アセンブリを更に備え、前記骨定着アセンブリが、
近位釘端、及び前記近位釘端からほぼ前記遠位方向に離間した遠位釘端を画定する細長い釘シャフトを有する、前記髄内釘を含み、前記釘シャフトが、前記釘シャフトの第１部内に延在する、前記遠位方向にほぼ沿って細長い、圧縮スロットを画定し、前記近位釘端から前記圧縮スロット内に延在する釘管を更に画定する、請求項２６に記載の骨定着アセンブリ。
【請求項２９】
前記髄内釘の少なくとも前記圧縮スロット内に受け入れられるように構成された圧縮部材を更に備える、請求項２８に記載の骨定着アセンブリ。
【請求項３０】
前記支持部材の前記遠位端がねじ切り部を含み、前記ねじ切り部が前記髄内釘の対応するねじ切り部を捉えることができるように、前記支持部材が前記支持枠に対して回転する、請求項２６に記載の骨定着アセンブリ。